(57)【特許請求の範囲】
【請求項１】
メインパッド（１０）と該メインパッド（１０）よりも小さいサブパッド（２０）とを具備してなり、
該メインパッド（１０）は、パッド本体（３０）と該パッド本体（３０）に付設された該サブパッド（２０）を着脱自在に装着する装着部（４０）とを有し、
上記パッド本体（３０）は、その周縁（３３）が、一方に向けて湾曲形成された第１湾曲部（３３ａ）と、該第１湾曲部の両端縁から延出され且つ他方に向けて湾曲形成された第２湾曲部（３３ｂ）とからなり、
上記装着部（４０）は、布状部材を少なくとも該第２湾曲部に接合して形成された接合縁部（４１）と、該接合縁部（４１）の端縁間に位置する開口縁部（４２）とからなり、該開口縁部（４２）において該布状部材が折り返されてサブパッド保持部（４３）が形成されている
ことを特徴とするバストパッド。
【請求項２】
上記パッド本体（３０）及び上記サブパッド（２０）は、弾力性を有する芯材（２１、３１）と、該芯材（２１、３１）の表面及び裏面にそれぞれ配された一対の布材（２２、３２）とを具備することを特徴とする請求項１記載のバストパッド。
【請求項３】
一対の上記布材（２２、３２）は、それぞれ、その周縁が上記芯材（２１、３１）の外方に延出されて、該周縁において接合されていることを特徴とする請求項２記載のバストパッド。
【請求項４】
上記パッド本体（３０）は、装着した際にブラジャー内面に当接する第１の表面と、バストに当接する第２の表面と、を有することを特徴とする請求項１〜３の何れか１項記載のバストパッド。
【請求項５】
上記サブパッド（２０）は、上記メインパッド（１０）に装着した際に、上記パッド本体（３０）の上記第２湾曲部に沿う湾曲縁部（２３）と、該メインパッド（１０）の幅方向中心近傍において、該メインパッド（１０）の長手方向に沿う内方縁部（２４）とを具備していることを特徴とする請求項１〜４の何れか１項記載のバストパッド。
【発明の詳細な説明】
【０００１】
【発明の属する技術分野】
本発明は、バストを膨よかに見せ且つ形を整えて美しく見せるためのバストパッドに関し、更に詳細には、装着する時、場所、目的等種々使用目的に応じてバストアップを可能とするバストパッドに関する。
【０００２】
【従来の技術及び発明が解決しようとする課題】
従来より、バストを外観上ふくよかに見せ且つ形を整えるバストパッドは、種々提案されているが、従来提案されているバストパッドは、何れも、形状及び厚さが一定に決められたものであり、使用者が装着する際に種々の使用目的に応じて厚さを変える等して使い分けることができるものではなかった。
【０００３】
すなわち、バストパッドを用いる対象としては、ブラジャー、水着、ボディスーツ、カップ付きドレス等があるが、従来のバストパッドは、形が決まっていたため、使用者は、これらの対象及び着用する目的（例えば、海水浴、パーティー等）に応じて、形状及び厚さの異なる数種類のバストパッドを準備する必要があり、これらを使い分けているのが現状である。
【０００４】
このため、種々の着用対象及び使用目的に応じて、使い回しの可能なバストパッドが要望されているのが現状である。
【０００５】
従って、本発明の目的は、種々の着用対象及び装着する時、場所、目的等に応じたバストアップが可能であり、使用目的に応じて使い回しの可能な、新規なバストパッドを提供することにある。
【０００６】
【課題を解決するための手段】
本発明のバストパッドは、メインパッドと該メインパッドよりも小さいサブパッドとからなり、該メインパッドは、パッド本体と該パッド本体に付設された該サブパッドを着脱自在に装着する装着部とを具備する。 また、上記パッド本体は、その周縁が、一方に向けて湾曲形成された第１湾曲部と、該第１湾曲部の両端縁から延出され且つ他方に向けて湾曲形成された第２湾曲部とからなる。上記装着部は、上記布状部材を少なくとも該第２湾曲部に接合して形成された接合縁部と、該接合縁部の端縁間に位置する開口縁部とからなり、これにより、該装着部と上記パッド本体とにより袋が形成される。また、上記開口縁部において上記布状部材が、内方（パッド本体側）に向けて折り返されて、サブパッド保持部が形成されている。
【０００７】
以下、本発明のバストパッドについて詳述する。
【０００８】
本発明のバストパッドにおける上記パッド本体及び上記サブパッドは、弾力性を有する芯材と、該芯材の表面及び裏面にそれぞれ配された一対の布材とを具備して形成されているのが好ましい。
【０００９】
また、上記パッド本体及び上記サブパッドにおける一対の上記布材は、それぞれ、その周縁が上記芯材の外方に延出されて、該周縁において接合されているのが好ましい。
【００１０】
上記芯材の形成材料としては、パッドの芯材として慣用されている材料を用いることができるが、不織布、発泡性ポリウレタン、ポリウレタン系樹脂、天然ゴム、及びこれらを加工したもの、例えば不織布をトリコット等でラミネート加工したもの等、を好ましく用いることができる。また、上記布材の形成材料としては、肌ざわりのよい素材であれば特に制限なく用いることができるが、ポリエステルトリコット、ナイロントリコット等のトリコット、綿等の天然素材、不織布をトリコット等でラミネート加工したもの等を好ましく用いることができる。
【００１１】
また、上記接合は、縫合、ヒートシールや接着剤による接合などにより行うことができる。
【００１２】
また、上記パッド本体の形状は、バストアップが図れる形状であれば特に制限されないが、バストを自然に美しく見せるためバスト及びブラジャーにフィットする形状であることが好ましい。特に、一方に向けて湾曲形成された第１湾曲部及び該第１湾曲部の両端縁から延出され且つ他方に向けて湾曲形成された第２湾曲部からなる周縁と、装着した際にブラジャー内面に当接する第１の表面と、バストに当接する第２の表面とからなることが好ましく、さらに装着時に該第１の表面がブラジャーのカップ形状を変形させることのないように、パッド本体の厚み方向断面において第２の表面側がより大きく膨らみ、第１の表面側がほぼ平坦となるように形成されていることが好ましい。また、該第１湾曲部及び第２湾曲部は、同じ湾曲率でもよいが、より良くバストにフィットするように、異なる湾曲率を有することが好ましく、特に下方に位置する湾曲部が大きな湾曲率を有することが好ましい。
【００１３】
また、上記サブパッドの形状も、バストアップが図れる形状であれば特に制限されないが、バストを自然に美しく見せるためバストの形状にフィットする形状であることが好ましく、上記メインパッドに装着した際に、パッド本体の上記第２湾曲部に沿う湾曲縁部と、該メインパッドの幅方向中心近傍において、該メインパッドの長手方向に沿う内方縁部と、を具備していることが特に好ましい。
【００１４】
上記湾曲縁部と上記内方縁部とは、直接連結されていてもよいが、他の縁部を介して連結されていてもよい。
【００１５】
上記メインパッド及びサブパッドの厚さは、サブパッドをメインパッドに装着した際にパッド本体の形状がバストにフィットする形状に維持される範囲であればよく、特に限定されるものではないが、メインパッドの厚さが約５〜３０ｍｍである場合にサブパッドの厚さが約５〜２０ｍｍであるのが好ましい。
【００１７】
該布状部材としては、上記布材と同じものを、特に制限なく用いることができる。
【００１８】
この際、該接合縁部は、少なくとも該第２湾曲部に接合されていればよいが、更に上記第１湾曲部の下方にも接合することもできる。
【００１９】
【発明の実施の形態】
以下、図面を参照して、本発明のバストパッドについて詳述するが、本発明はこれらに限定されるものではなく、特許請求の範囲に記載された発明の範囲内で種々変更が可能である。
【００２０】
ここで、図１は、本発明のバストパッドの１形態を示す斜視図であり、図２は、そのII-II断面図である。また、図３は、図１に示すバストパッドの使用形態を示す斜視図である。
【００２１】
図１及び図２に示す形態のバストパッド１は、メインパッド１０と該メインパッド１０よりも小さいサブパッド２０とからなり、該メインパッド１０は、パッド本体３０と該パッド本体３０に付設された該サブパッド２０を着脱自在に装着する装着部４０とを具備する。
【００２２】
更に詳述すると、上記パッド本体３０は、図２に示されているように、弾力性を有する芯材３１として不織布あるいは不織布をトリコットでラミネート加工したもの、及び該芯材３１の表面及び裏面にそれぞれ配された一対の布材３２として不織布をトリコットでラミネート加工したものあるいはトリコットを具備している。
【００２３】
また、一対の上記布材３２は、それぞれ、その周縁が上記芯材３１の外方に延出されて、該周縁において接合されている。
【００２４】
そして、上記パッド本体は、その周縁３３が、一方に向けて湾曲形成された第１湾曲部３３ａと、該第１湾曲部３３ａの両端縁から延出され且つ他方に向けて湾曲形成された第２湾曲部３３ｂとからなる。
【００２５】
更に、該周縁３３は、布３４により被覆され、該布３４と一体に縫合されている。
【００２６】
また、上記装着部４０は、布状部材として不織布をトリコットでラミネート加工したものあるいはトリコットを該第２湾曲部３３ｂ全体及び上記第１湾曲部３３ａの下方（左右両端縁の近傍）に接合して形成された接合縁部４１と、該接合縁部４１の端縁間に位置する開口縁部４２とからなり、該開口縁部４２において該布状部材が折り返されてサブパッド保持部４３が形成されている。
【００２７】
上記開口縁部４２は、上記パッド本体３０の長手方向に沿って形成されており、該開口縁部４２の大きさは、後述する上記サブパッド２０の内方縁部２４の大きさとほぼ同じになるようになされている。
【００２８】
また、上記サブパッド２０は、弾力性を有する芯材２１として、不織布あるいは不織布をトリコットでラミネート加工したものと、該芯材２１の表面及び裏面にそれぞれ配された一対の布材２２として、不織布をトリコットでラミネート加工したものあるいはトリコットを具備している。
【００２９】
また、一対の上記布材２２は、それぞれ、その周縁が上記芯材２１の外方に延出されて、該周縁において接合されている。
【００３０】
上記サブパッド２０は、その周縁が、上記第２湾曲部３３ｂに沿って形成された湾曲縁部２３と、上記メインパッド１０に装着した際に該メインパッド１０の幅方向中心近傍において、該メインパッド１０の長手方向に沿って位置する、内方縁部２４とを具備している。
【００３１】
そして、上記湾曲縁部２３と上記内方縁部２４とは、傾斜して形成された一対の傾斜縁部２５を介して連結されている。
【００３２】
上記バストパッド１は、通常公知のバストパッドの製造方法と同様に各部材を縫合固定等して、上記パッド本体３０及びサブパッド２０を製造した後、上記パッド本体３０に通常の方法で、上記布状部材を縫合固定し、上記装着部４０を形成することにより、容易に製造することができる。
【００３３】
また、上記バストパッド１を使用するには、図１及び図２に示すように、上記サブパッド保持部４３を外方に引っ張った後上記サブパッド２０を上記サブパッド保持部４３の内部に挿入して、上記サブパッド２０を上記装着部４０に装着し、図３に示すように、ブラジャー６０のカップ６１の下方部分（乳房の下方に当接する部位）に、上記バストパッド１を挿入するか、又はカップ６１の下方部分に上記バストパッド１を敷設した後、ブラジャー６０の装着を行うなどして使用することができる。
【００３４】
尚、ここでは、ブラジャーのみを図示して説明したが、このほか、カップ付きドレス、水着、ボディースーツ等種々の用途に使用することができ、この際ＴＰＯに併せて、上記のメインパッドにサブパッドを装着した状態の他、上記メインパッドのみ又は上記サブパッドのみで使用に供することができ、種々使用目的に合わせて、異なる程度のバストアップを図ることができる。
【００３５】
また、上記サブパッドの個数も、上述した形態では１個であるが、これに限られず、２個以上設けることも可能である。さらに、大きさの異なるサブパッドを複数用いることもできる。
【００３６】
次に、本発明のバストパッドの他の形態について説明する。
【００３７】
図４は、本発明のバストパッドの他の例を示す斜視図であり、図５は、本発明のバストパッドの他の例を示す斜視図であり、図６は、本発明のバストパッドの他の例を示す斜視図であり、図７は、本発明のバストパッドの他の例を示す斜視図であり、図８は、本発明のバストパッドの他の例を示す斜視図であり、図９は、本発明のバストパッドの他の例を示す斜視図であり、図１０は、本発明のバストパッドの他の例を示す斜視図であり、図１１は、本発明のバストパッドの他の例を示す斜視図である。
【００３８】
なお、ここでは、上記の図１及び図２に示す形態のバストパッドと異なる点についてのみ説明する。特に詳述しない点については、上述した図１及び図２に示す形態のバストパッドにおいてした説明が適宜適用される。
【００３９】
図４に示す形態のバストパッド１は、上記装着部４０が、上記パッド本体３０の左右両側のそれぞれにおいて、上記布状部材を第１湾曲部３３ａ及び第２湾曲部３３ｂに縫合して形成されており、これにより、左右一対のポケットが形成されている。
【００４０】
そして、使用時には、上記サブパッド２０を折り込むようにして上記装着部４０中に挿入して使用する。
【００４１】
図５に示す形態のバストパッド１は、図４に示す形態のバストパッドにおいて、上記の左右一対に形成された上記装着部４０に、それぞれ、パッド本体３０の幅方向中央部の近傍で上記布材３１に縫合された短い線状の接合部４４が形成されている。該接合部４４は、サブパッドをメインパッドに挿入した際に、サブパッドが適所から上方にずれることを防止するずれ防止手段として作用する。このように、メインパッドにサブパッドのずれ防止手段を設けることにより、上記サブパッド２０の装着安定性が向上し、バストパッド１の装着中においてサブパッド２０がずれることがない。なお、該「幅方向中央部の近傍」とは、メインパッドの幅方向中央部に隣接しており、上記サブパッド２０の幅よりも、上記接合部４４と上記第２湾曲部との間の距離が長くなる位置であればよく、特に制限されるものではない。
【００４２】
図６に示す形態のバストパッド１は、装着部４０が、上記パッド本体３０の左側にて、布状部材を該第１及び第２の湾曲部３３ａ，３３ｂに縫合して形成された接合縁部４１と、該接合縁部４１の端縁間に位置する開口縁部４２とからなり、該開口縁部４２が、上記パッド本体３０の幅方向に沿って且つ該パッド本体３０の一端から長手方向中央部の間において形成されている。
【００４３】
該開口縁部４２の位置は、上記サブパッドの幅よりも該開口縁部４２の大きさが大きくなる位置であれば特に制限されない。
【００４４】
図７に示す形態のバストパッド１は、図６に示す形態のバストパッドにおいて、上記装着部４０が、パッド本体３０の幅方向中央部で且つパッド本体３０の長手方向中央部の近傍において、上記布材３１に縫合されて、短い線状の接合部４４が形成されている。
【００４５】
図８に示す形態のバストパッド１は、図６に示す形態のバストパッドにおいて、上記装着部４０が、パッド本体３０の幅方向中央部近傍において、パッド本体３０の長手方向に沿って、パッド本体３０に縫合されて、該開口縁部４２から第１湾曲部３３ａまで連続した連続接合部４５が形成されている。
【００４６】
図９に示す形態のバストパッド１は、図８に示す形態のバストパッドにおいて、上記装着部４０が、上記パッド本体３０の右側の部分における布状部材の縫合されていない部分に、さらに布状部材を該第２湾曲部３３ｂ及び上記第１湾曲部３３ａに縫合して形成されている。
【００４７】
図１０に示す形態のバストパッド１は、上記装着部４０が、パッド本体３０の幅方向中央部において細帯状の上記布状部材の一端縁を第１湾曲部３３ａに縫合固定し且つ他端縁を第２湾曲部３３ｂに縫合固定して形成されている。さらに、サブパッド２０を装着した際に、サブパッド２０のずれを防止するため、装着部４０のほぼ中央付近でサブパッド２０の上方にて、装着部４０と布状部材とを縫い合わせて、短い線状の接合部４４が形成されている。
【００４８】
図１１に示す形態のバストパッドは、上記装着部４０が、パッド本体３０の幅方向中央部において細帯状の上記布状部材の一端縁を上記布材３２に縫合固定し且つ他端縁を第２湾曲部３３ｂに縫合固定して形成された、中央装着部４６と、三角形状の布状部材を、その２辺で上記第１及び第２の湾曲部３３ａ，３３ｂに縫合固定して形成された開口縁部４７を有する左右一対の端縁装着部４８とからなる。
【００４９】
なお、上述の実施の形態では、特に好ましい形態を説明したが、当業者において特許請求の範囲内での種々の変更が可能であることはいうまでもない。例えば、上記芯材及び布材として、複数の素材を層状に積層させた形態の材料を用いることもできる。あるいは、布材として、バスト側に吸水性の素材を用い、ブラジャー側に撥水性の素材を用いる等、異なる材質の組合せとすることもできる。
【００５０】
【発明の効果】
本発明のバストパッドは、種々の着用対象及び使用目的に応じたバストアップが可能であり、使用目的に応じて使い回しの可能な、新規なものである。
【図面の簡単な説明】
【図１】図１は、本発明のバストパッドの１形態を示す斜視図である。
【図２】図２は、図１に示すバストパッドのII-II断面図である。
【図３】図３は、図１に示すバストパッドの使用形態を示す斜視図である。
【図４】図４は、本発明のバストパッドの他の例を示す斜視図である。
【図５】図５は、本発明のバストパッドの他の例を示す斜視図である。
【図６】図６は、本発明のバストパッドの他の例を示す斜視図である。
【図７】図７は、本発明のバストパッドの他の例を示す斜視図である。
【図８】図８は、本発明のバストパッドの他の例を示す斜視図である。
【図９】図９は、本発明のバストパッドの他の例を示す斜視図である。
【図１０】図１０は、本発明のバストパッドの他の例を示す斜視図である。
【図１１】図１１は、本発明のバストパッドの他の例を示す斜視図である。
【符号の説明】
１              バストパッド
１０              メインパッド
２０              サブパッド
２１，３１        芯材
２２，３２        布材
２３              湾曲縁部
２４              内方縁部
３０              パッド本体
３３              周縁
３３ａ            第１湾曲部
３３ｂ            第２湾曲部
３３ａ’，３３ｂ’端縁
４０              装着部
４１              接合縁部
４２              開口縁部
４３              サブパッド固定部
【図１】
0003751998.tif 000002
【図２】
0003751998.tif 000003
【図３】
0003751998.tif 000004
【図４】
0003751998.tif 000005
【図５】
0003751998.tif 000006
【図６】
0003751998.tif 000007
【図７】
0003751998.tif 000008
【図８】
0003751998.tif 000009
【図９】
0003751998.tif 000010
【図１０】
0003751998.tif 000011
【図１１】
0003751998.tif 000012